(57)【要約】【課題】美観を損なうことなく低コストで設置でき、表示装置の可用性や利便性の高い個室使用状況表示技術を提供する。【解決手段】女子トイレ３０Ｆにおける複数のトイレ個室３１（和式トイレＢ１〜洋式トイレＢ１５）の各々のトイレドア３２に、外部から給電を必要としない自律動作型のドア開閉センサＳ１〜Ｓ１５を配置して微弱な無線通信でトイレ個室３１の使用状況を情報処理装置１０に収集し、使用状況を示すトイレ施設画像１００を、トイレ施設入口３０ａに設けられた表示装置２０に出力して利用者に周知することで、効率よく利用者を空室の和式トイレＢ１〜洋式トイレＢ１５に誘導する。誘導を必要としない閑散期にはトイレ施設画像１００の代わりに広告映像２００等の多様な情報を表示装置２０に表示する。【選択図】図３
2014044474.tif 000002
【特許請求の範囲】
【請求項１】
複数の個室の使用状況を表示する個室使用状況表示システムであって、
複数の前記個室の各々に設けられ、当該個室の前記使用状況を検出して無線送信する複数の無線センサと、
前記使用状況が表示可能な表示装置と、
個々の前記無線センサから前記使用状況および当該無線センサの識別情報を収集し、複数の前記個室の使用率と第１閾値との大小関係に応じて、前記表示装置において、前記使用状況を表示するか、又は前記使用状況以外の一般情報を表示するかを切り替える情報処理装置と、
を含むことを特徴とする個室使用状況表示システム。
【請求項２】
請求項１記載の個室使用状況表示システムにおいて、
前記一般情報は、広告情報、道路状況情報、災害警告情報の少なくとも一つを含むことを特徴とする個室使用状況表示システム。
【請求項３】
請求項１記載の個室使用状況表示システムにおいて、
前記無線センサは、設置環境における自然エネルギーにて動作することにより、外部からの電力配線や電池交換を必要としない自立動作型の無線センサであることを特徴とする個室使用状況表示システム。
【請求項４】
請求項１から請求項３のいずれか１項に記載の個室使用状況表示システムにおいて、
前記情報処理装置は、前記個室の連続使用時間が第２閾値を超えた場合に警報を出力する、
ことを特徴とする個室使用状況表示システム。
【請求項５】
請求項１から請求項４のいずれか１項に記載の個室使用状況表示システムにおいて、
前記個室は、トイレであることを特徴とする個室使用状況表示システム。
【請求項６】
複数の個室の使用状況を表示装置に表示させるためにコンピュータを制御する個室使用状況表示プログラムであって、
個々の前記個室に設けられた無線センサにおいて検出されて送信される前記使用状況および当該無線センサの識別情報を収集するステップと、
収集された前記使用状況および前記識別情報に基づいて複数の前記個室の使用率を計算するステップと、
複数使用率と第１閾値との大小関係に応じて、前記表示装置に対して前記使用状況を表示させるか、又は前記使用状況以外の一般情報を表示させるかを切り替えるステップと、
を前記コンピュータに実行させることを特徴とする個室使用状況表示プログラム。
【請求項７】
請求項６記載の個室使用状況表示プログラムにおいて、
さらに、前記個室の連続使用時間が第２閾値を超えた場合に警報を出力するステップ、
を前記コンピュータに実行させることを特徴とする個室使用状況表示プログラム。
【請求項８】
請求項６記載の個室使用状況表示プログラムにおいて、
前記一般情報は、広告情報、道路状況情報、災害警告情報の少なくとも一つを含むことを特徴とする個室使用状況表示プログラム。
【請求項９】
請求項６記載の個室使用状況表示プログラムにおいて、
前記無線センサは、設置環境における自然エネルギーにて動作することにより、外部からの電力配線や電池交換を必要としない自立動作型の無線センサであることを特徴とする個室使用状況表示プログラム。
【請求項１０】
請求項６から請求項９のいずれか１項に記載の個室使用状況表示プログラムにおいて、
前記個室は、トイレであることを特徴とする個室使用状況表示プログラム。
【発明の詳細な説明】
【技術分野】
【０００１】
本発明は、個室使用状況表示システムおよび個室使用状況表示プログラムに関する。
【背景技術】
【０００２】
例えば、不特定多数の公衆に利用される公衆トイレ等に代表される個室では、混雑時における効率的な利用を促す技術が求められている。
例えば、高速道路のサービスエリアやパーキングエリア、あるいは一般の公共施設等に設けられる公衆トイレでは、トイレ施設建屋内に複数のトイレが個室として配置されおり、利用者は、トイレ施設建屋内の個々のトイレの前に出向いて当該トイレの施錠部分に設けられた使用中表示を目視で確認する必要がある。
【０００３】
このため、利用者が集中する時間帯には、個々のトイレの空きを確認とようとする数多数の利用者と、用済み後の利用者がトイレ施設建屋内に集中して混雑し、トイレの使用の前後における個々の利用者の移動に時間がかかり、トイレ施設の利用効率の低下、さらには利用者の利便性の低下の一因となる。
【０００４】
このため、特許文献１では、トイレブースのドア錠スイッチを設けてブースの使用状況を有線ネットワークで集計装置に収集し、集計装置は、表示装置にトイレブースの数だけ丸印を表示するとともに、個々の丸印に、空きの場合は、青、普通は黄色、混雑時には赤で塗る、という表示を行うことで、どのトイレが空いているかを利用者に知らせるトイレ空き具合表示装置が開示されている。
【先行技術文献】
【特許文献】
【０００５】
【特許文献１】特開平６−３３３１７４号公報
【発明の概要】
【発明が解決しようとする課題】
【０００６】
ところが、上述の特許文献１の技術では、ドア錠スイッチや集計装置が有線ネットワークで接続されるため、設置には大規模な配線工事を必要とし、コスト高となる技術的課題がある。
【０００７】
また、既設のトイレ施設に適用する場合には、コスト高の他に、配線によって美観が損なわれる懸念もある。
さらに、表示装置には、トイレ空き具合の情報のみが表示されるため、表示装置の可用性や利便性が低いという技術的課題もある。
【０００８】
本発明の目的は、美観を損なうことなく低コストで設置でき、表示装置の可用性や利便性の高い個室使用状況表示技術を提供することにある。
【課題を解決するための手段】
【０００９】
本発明の第１の観点は、複数の個室の使用状況を表示する個室使用状況表示システムであって、
複数の前記個室の各々に設けられ、当該個室の前記使用状況を検出して無線送信する複数の無線センサと、
前記使用状況が表示可能な表示装置と、
個々の前記無線センサから前記使用状況および当該無線センサの識別情報を収集し、複数の前記個室の使用率と第１閾値との大小関係に応じて、前記表示装置において、前記使用状況を表示するか、又は前記使用状況以外の一般情報を表示するかを切り替える情報処理装置と、
を含む個室使用状況表示システムを提供する。
【００１０】
本発明の第２の観点は、複数の個室の使用状況を表示装置に表示させるためにコンピュータを制御する個室使用状況表示プログラムであって、
個々の前記個室に設けられた無線センサにおいて検出されて送信される前記使用状況および当該無線センサの識別情報を収集するステップと、
収集された前記使用状況および前記識別情報に基づいて複数の前記個室の使用率を計算するステップと、
複数使用率と第１閾値との大小関係に応じて、前記表示装置に対して前記使用状況を表示させるか、又は前記使用状況以外の一般情報を表示させるかを切り替えるステップと、
を前記コンピュータに実行させる個室使用状況表示プログラムを提供する。
【発明の効果】
【００１１】
本発明によれば、美観を損なうことなく低コストで設置でき、表示装置の可用性や利便性の高い個室使用状況表示技術を提供することができる。
【図面の簡単な説明】
【００１２】
【図１】本発明の一実施の形態である個室使用状況表示システムの構成の一例を示す概念図である。
【図２】本発明の一実施の形態である個室使用状況表示システムを構成する情報処理装置の詳細な構成の一例を示すブロック図である。
【図３】本発明の一実施の形態である個室使用状況表示システムが適用されるトイレ施設の内部構成の一例を示す平面図である。
【図４】本発明の一実施の形態である個室使用状況表示システムが適用されるトイレ施設における各個室のドア部の構成の一例を示す平面図である。
【図５】本発明の一実施の形態である個室使用状況表示システムが適用されるトイレ施設における各個室のドア部の構成の他の例を示す平面図である。
【図６】本発明の一実施の形態である個室使用状況表示システムが適用されるトイレ施設の内部状況のグラフィック表示画面の一例を示す概念図である。
【図７】本発明の一実施の形態である個室使用状況表示システムが適用されるトイレ施設の内部状況のグラフィック表示画面の一例を示す概念図である。
【図８】本発明の一実施の形態である個室使用状況表示システムにて用いられる一般情報ファイルのデータによるグラフィック表示画面の一例を示す概念図である。
【図９】本発明の一実施の形態である個室使用状況表示システムの作用の一例を示すフローチャートである。
【図１０】本発明の一実施の形態である個室使用状況表示システムの作用の変形例を示すフローチャートである。
【発明を実施するための形態】
【００１３】
以下、図面を参照しながら、本発明の実施の形態について詳細に説明する。
図１は、本発明の一実施の形態である個室使用状況表示システムの構成の一例を示す概念図である。
【００１４】
図２は、本発明の一実施の形態である個室使用状況表示システムを構成する情報処理装置の詳細な構成の一例を示すブロック図である。
図１に例示されるように、本実施の形態の個室使用状況表示システムＫは、管理対象の複数の個室の各々に設置される複数のドア開閉センサユニット４０（ドア開閉センサＳ１〜ドア開閉センサＳ１５）から無線で情報を収集する情報処理装置１０と、収集された情報に基づいて、各個室の状況をグラフィック表示する表示装置２０を備えている。
【００１５】
図２に例示されるように、本実施の形態の個室使用状況表示システムＫを構成する情報処理装置１０は、一例として、マイクロプロセッサ等からなるＣＰＵ１１、主記憶１２、外部記憶装置１３、ユーザインタフェース１４、ＬＡＮインターフェイス１５、無線受信機１６、表示装置インターフェイス１７、情報伝送路１８を備えている。
【００１６】
ＣＰＵ１１は、主記憶１２に格納されている個室管理プログラム９１を実行することで、後述のフローチャートに例示されるような制御動作を行う。
主記憶１２は、半導体メモリ等で構成され、外部記憶装置１３から読み込まれた個室管理プログラム９１を格納するとともに、ＣＰＵ１１の動作に必要な情報記憶エリアを提供する。
【００１７】
外部記憶装置１３は、不揮発性の半導体メモリ等で構成され、個室管理プログラム９１、さらには、後述の稼働ログデータ９２、エラーログファイル９３、一般情報ファイル９４、個室レイアウト画像ファイル９５、等の情報を持久的に記憶する。
【００１８】
ユーザインタフェース１４は、情報処理装置１０を管理するシステム管理者による情報入力等を支援する図示しないキーボードやディスプレイで構成される。
ＬＡＮインターフェイス１５は、情報処理装置１０を、有線または無線のＬＡＮ等の情報ネットワーク１５ａに接続して情報の授受を行うためのインターフェイスを提供する。これにより、情報処理装置１０は、必要に応じて外部からもアクセスが可能である。
【００１９】
無線受信機１６は、アンテナ１６ａを備え、後述のように、外部に設けられた上述の複数のドア開閉センサＳ１〜Ｓ１５（ドア開閉センサユニット４０）の各々から個室毎の利用状況の情報を収集する。
【００２０】
表示装置インターフェイス１７は、ＣＰＵ１１から出力される表示画像データを表示装置２０に送出する。なお、図２では、一例として表示装置２０を情報処理装置１０に対して有線接続しているが、例えば、無線のＬＡＮ等の情報ネットワーク１５ａを介して無線接続してもよい。
【００２１】
図３は、本発明の一実施の形態である個室使用状況表示システムが適用されるトイレ施設の内部構成の一例を示す平面図である。
次に、図３等を参照して本実施の形態の個室使用状況表示システムＫが設置されるトイレ施設３０について説明する。すなわち、本実施の形態では、個室使用状況表示システムＫにおける管理対象の個室の一例としてトイレ個室３１に適用する場合を例示する。
【００２２】
図３に例示されるように、本実施の形態のトイレ施設３０は、大別して男子トイレ３０Ｍと女子トイレ３０Ｆで構成され、本実施の形態では、簡単のため女子トイレ３０Ｆに個室使用状況表示システムＫを設置する例を説明する。これは、一般に女子トイレ３０Ｆのほうが混雑度が大きく、本実施の形態の個室使用状況表示システムＫの適用がより有効と考えられるためである。もちろん、男子トイレ３０Ｍに個室使用状況表示システムＫを適用してもよいことは言うまでもない。
【００２３】
本実施の形態のトイレ施設３０における女子トイレ３０Ｆは、図３に例示されるように、複数のトイレ個室３１が、壁際に２列、中央に隣り合う２列が配置されている。
個々のトイレ個室３１は、少なくともトイレドア３２と便器３３を具備している。
【００２４】
なお、複数のトイレ個室３１の各々は、和式トイレＢ１，Ｂ４，Ｂ８と、洋式トイレＢ５，Ｂ６，Ｂ９，Ｂ１０，Ｂ１２，Ｂ１５と、ベビーチェア付属・洋式トイレＢ２，Ｂ７，Ｂ１１，Ｂ１３と、身障者用トイレＢ３，Ｂ１４からなる。以下では、これらを総称する場合にはトイレ個室３１として言及し、個別には、Ｂ１〜Ｂ１５として言及する。
【００２５】
そして、Ｂ１〜Ｂ３と、Ｂ１２〜Ｂ１４は、壁際に配置され、中央の２列に、Ｂ４〜Ｂ７およびＢ８〜Ｂ１１が背中合わせに配置されている。
残余の空間には、複数の洗面所３０ｂ、パウダーコーナ３０ｃ、子供コーナ３０ｄ、倉庫３０ｅが図３に例示されるように設けられ、洋式トイレＢ１５は、子供コーナ３０ｄに設置されている。
【００２６】
そして、本実施の形態の場合、表示装置２０は、女子トイレ３０Ｆのトイレ施設入口３０ａの直近の正面位置、すなわち、女子トイレ３０Ｆの内部に立ち入らなくても、外部から視認可能な位置に設置されている。
【００２７】
また、情報処理装置１０は、倉庫３０ｅの内部に設置されている。
個々のトイレ個室３１のトイレドア３２には、後述のようなドア開閉センサユニット４０が設けられている。以下では、センサを総称する場合にはドア開閉センサユニット４０として言及し、個別には、ドア開閉センサＳ１〜Ｓ１５として言及する。
【００２８】
なお、ドア開閉センサＳ１〜Ｓ１５は、和式トイレＢ１〜洋式トイレＢ１５の各々のドアに設けられたドア開閉センサユニット４０に対応している。
図４および図５は、本発明の一実施の形態である個室使用状況表示システムが適用されるトイレ施設における各個室のドア部の構成の一例を示す平面図である。
【００２９】
図４に例示されるように、トイレ個室３１は、ドアヒンジ３２ｃに支持されて開閉するトイレドア３２と、ドアヒンジ３２ｃの反対側の内側に設けられたドアノブ３２ａおよびトイレドア３２を閉じた状態で施錠するドア錠３２ｂを備えている。
【００３０】
ドアヒンジ３２ｃには、トイレドア３２を開く方向に常時付勢する図示しない開放バネが設けられ、トイレドア３２がドア錠３２ｂによって施錠されない状態では、トイレドア３２は半開きになるように構成されている。
【００３１】
そして、個々のドア開閉センサユニット４０は、トイレ個室３１の外壁のトイレドア３２のドア錠３２ｂ側の外縁近傍に貼り付けて設置されるセンサ本体４１と、トイレドア３２の側に、センサ本体４１と同一高にの位置に貼りつけて設置され当該トイレドア３２とともに移動するドア変位検知磁石片４２で構成されている。
【００３２】
なお、図５のように、ドア開閉センサユニット４０は、ドアヒンジ３２ｃの側に設けてもよい。
いずれにしても、ドア開閉センサユニット４０は、新設、既設を問わず、センサ本体４１およびドア変位検知磁石片４２を貼りつけて固定するだけで簡便に設置することができる。
【００３３】
センサ本体４１の側には、ドア変位検知磁石片４２の磁力に感応する図示しない磁力センサが内蔵されている。そして、センサ本体４１は、トイレドア３２が閉じてドア錠３２ｂで施錠され、センサ本体４１とドア変位検知磁石片４２とが最接近した位置では、トイレ個室３１を「使用中」と判定し、トイレドア３２が半開きでドア変位検知磁石片４２とセンサ本体４１が離間しドア変位検知磁石片４２の磁力が検出されない場合にはトイレ個室３１を「空室」と判定するように調整されている。
【００３４】
また、センサ本体４１には、無線送信回路が内蔵され、個々のセンサ本体４１にユニークに設定された識別情報としてのセンサＩＤ（例えば４バイト（３２ビット））と、トイレドア３２の開または閉を示す使用状況情報（例えば１バイト（８ビット））とが一つの電文（例えば、２１バイト長）として無線送信される。
【００３５】
また、センサ本体４１は、太陽電池４１ａを備えており、設置環境の女子トイレ３０Ｆの室内照明光や、屋外から射し込む外光等の光エネルギーを電気エネルギーとして回収して動作することにより、外部からの給電や電池交換等の保守作業は全く不要になっている。
【００３６】
本実施の形態の場合、このセンサ本体４１は、以下のような仕様の無線データ送信を行う。
（イ）高信頼性でライセンスフリーの８６８ＭＨｚ／３１５ＭＨｚ帯を使用し、デューティサイクル：１％。またＤＥＣＴ、ＷＬＡＮ、ＰＭＲシステムなどの他のワイヤレスシステムと干渉することなく共存可能。
【００３７】
（ロ）極めて短い電文送信時間（およそ１ミリ秒）によりコリジョンが少ない。任意時間間隔（例えば数秒〜数十秒に１回）のリピート通信が可能。
（ハ）ビル内では３０ｍ、オープンスペースでは３００ｍの通信範囲をカバーするロングレンジ。
【００３８】
（ニ）極めて少ないエネルギーで通信速度：１２５キロビット／秒、最小限のオーバーヘッドの高速通信を実現し、通信方式は例えばＡＳＫ変調方式を使用。
このような無線送信仕様により、ドア開閉センサユニット４０（ドア開閉センサＳ１〜Ｓ１５）は、トイレ個室３１のトイレドア３２の「開」および「閉」の使用状況の検出を契機に電文を送信する。また、「開」または「閉」の固定状態においても、数十秒に１回、その時点での「開」および「閉」の使用状況の検出を行って電文として送信する。
【００３９】
図６は、本発明の一実施の形態である個室使用状況表示システムが適用されるトイレ施設の内部状況のグラフィック表示画面の一例を示す概念図である。
図７は、本発明の一実施の形態である個室使用状況表示システムが適用されるトイレ施設の内部状況のグラフィック表示画面の一例を示す概念図である。
【００４０】
図８は、本発明の一実施の形態である個室使用状況表示システムにて用いられる一般情報ファイルのデータによるグラフィック表示画面の一例を示す概念図である。
図６は、情報処理装置１０から表示装置２０に表示出力されるトイレ施設画像１００の表示画面例を示している。この図６の例は、全部の和式トイレＢ１〜洋式トイレＢ１５が不使用で空室の状態を示している。
【００４１】
トイレ施設画像１００は、レイアウト領域１０１と案内図領域１０２からなる。
レイアウト領域１０１には、図３に例示されたトイレ施設３０の女子トイレ３０Ｆにおける複数の和式トイレＢ１〜洋式トイレＢ１５のトイレアイコン１０３が、実際のトイレ個室３１のレイアウトに対応するように配列されている。
【００４２】
また、案内図領域１０２には、各アイコンの説明が表示されている。
図７は、全てが空室の上述の図６の初期状態から、一部のトイレ個室３１が使用中になった場合を示している。この図７の例では、和式トイレＢ１と、洋式トイレＢ５が「使用中」を示すようにハッチング表示の使用中トイレアイコン１０３ａに変化している。
【００４３】
このように、女子トイレ３０Ｆの利用者は、外部から、和式トイレＢ１〜洋式トイレＢ１５のすべての使用状況を、トイレ施設入口３０ａに設けられた表示装置２０を見ることで、実際に女子トイレ３０Ｆの内部に入り込むことなく確認できる。
【００４４】
なお、本実施の形態の場合には、後述のように、表示装置２０には、上述の図６や図７のトイレ施設画像１００の代わりに、必要に応じて、図８に例示されるような広告映像２００を一般情報ファイル９４から読み出して表示できる。
【００４５】
なお、一般情報ファイル９４は、広告映像２００に限らず、自然災害時に公共機関から提供される災害情報、気象情報（警報）、道路状況情報、公共放送映像、等を含むことができる。
【００４６】
なお、一般情報のソースは一般情報ファイル９４に限らず、広告映像２００等の情報を、情報ネットワーク１５ａを経由して外部から受信してもよい。
同様に、トイレ施設画像１００の表示のためのデータも、個室レイアウト画像ファイル９５から取得することに限らず、情報ネットワーク１５ａを経由して外部から受信して用いてもよい。
【００４７】
図９は、本発明の一実施の形態である個室使用状況表示システムの作用の一例を示すフローチャートである。
以下、図９のフローチャート等を参照して、本実施の形態の個室使用状況表示システムＫの作用の一例を説明する。
【００４８】
まず、情報処理装置１０において個室管理プログラム９１を実行するＣＰＵ１１（以下、情報処理装置１０と記す）は、無線受信機１６から入力されるドア開閉センサＳ１〜Ｓ１５からの未処理の受信データ（電文）の有無を判別し、受信データの到来を待つ（ステップ３０１）。
【００４９】
そして、未処理の電文が検出されると、送信元のドア開閉センサＳ１〜Ｓ１５のセンサＩＤおよび対応するトイレ個室３１のトイレドア３２の「開」または「閉」の情報からなるセンサ設定情報を電文から読み取る（ステップ３０２）。
【００５０】
そして、センサＩＤおよび開閉状態（「開」または「閉」）の両方の情報が正常に読み取れたか否かを判別し（ステップ３０２）、正常に読み取れた場合には、トイレ個室３１の「開」／「閉」を判別する（ステップ３０４）。
【００５１】
そして、「開」の場合には、トイレ施設画像１００における当該センサＩＤに対応した和式トイレＢ１〜洋式トイレＢ１５のアイコンを「空室」の状態（この場合、ハッチング無しのトイレアイコン１０３）に変更または維持し（ステップ３０５）、「閉」の場合には、トイレ施設画像１００における当該センサＩＤに対応した和式トイレＢ１〜洋式トイレＢ１５のアイコンを「使用中」の状態（この場合、ハッチング有りの使用中トイレアイコン１０３ａ）に変更または維持する（ステップ３１１）。
【００５２】
このステップ３０５またはステップ３１１の後に、稼働ログデータ９２に、センサＩＤ（すなわち、Ｂ１〜Ｂ１５の各々に対応した個々のトイレ個室３１の識別情報）、「開」／「閉」、および「開」／「閉」の検出時刻を示すタイムスタンプ、からなる１レコードを稼働ログデータ９２に時系列に蓄積記録する（ステップ３０６）。
【００５３】
次に、情報処理装置１０は、和式トイレＢ１〜洋式トイレＢ１５の使用率Ｒが第１閾値Ｖｒ以上か否かを判別する（ステップ３０７）。
本実施の形態の場合、女子トイレ３０Ｆにおける全トイレ個室数Ｎｔ（この場合、Ｎｔ＝１５）、判別の時点で使用中の個室数である使用中個室数ｎ（０≦ｎ≦Ｎｔ）とすると、この使用率Ｒは、Ｒ＝ｎ／Ｎｔで計算される。なお、使用中個室数ｎは、稼働ログデータ９２から集計してもよいし、あるいは、複数のトイレ個室３１（和式トイレＢ１〜洋式トイレＢ１５）の管理テーブルを主記憶１２に設け、上述のステップ３０５、ステップ３１１毎に、当該管理テーブルを更新して使用中個室数ｎを求めてもよい。
【００５４】
また、第１閾値Ｖｒは、女子トイレ３０Ｆの規模（トイレ個室３１の数）や、お盆、正月、連休等の時期的な情報等に応じて、システム管理者が適宜設定できる。
そして、ステップ３０７において、第１閾値Ｖｒ≦使用率Ｒと判定された場合には、上述の図７のトイレ施設画像１００を表示装置２０に出力し、トイレ施設入口３０ａの付近に居る図示しない利用者に対して、女子トイレ３０Ｆ内の和式トイレＢ１〜洋式トイレＢ１５の利用状況を可視化して提示する（ステップ３１２）。
【００５５】
一方、ステップ３０７において、第１閾値Ｖｒ＞使用率Ｒと判定された場合には、上述の図７のトイレ施設画像１００の代わりに、図８に例示される広告映像２００（一般情報ファイル９４のデータ）を表示装置２０に出力し、トイレ施設入口３０ａの付近に居る図示しない利用者に対して、広告映像２００等の多様な情報を可視化して提示する（ステップ３０８）。
【００５６】
本実施の形態では、トイレ施設画像１００の代わりに広告映像２００を提示する例を示すが、道路渋滞や事故等の道路状況情報、地震、津波、風水害、降雪、落雷等の災害警告情報、迷子などの呼出情報、所望の構内案内情報等を表示装置２０に出力してもよい。
【００５７】
その後、情報処理装置１０は、処理済みの受信データをクリアし（ステップ３０９）、上述のステップ３０１に戻る。
また、上述のステップ３０３で読み取りに失敗した場合には、判定／受信時刻と、失敗した読み取り情報等をエラーログに保存し（ステップ３１０）、受信データをクリアして（ステップ３０９）、上述のステップ３０１に戻る。
【００５８】
このように本実施の形態の場合には、利用者は、女子トイレ３０Ｆにおける和式トイレＢ１〜洋式トイレＢ１５の利用状況を、女子トイレ３０Ｆのトイレ施設入口３０ａに設置された表示装置２０に出力されるトイレ施設画像１００のトイレアイコン１０３、使用中トイレアイコン１０３ａ（図７）によって的確に確認できる。
【００５９】
このため、利用者は、女子トイレ３０Ｆの内部における和式トイレＢ１〜洋式トイレＢ１５を見渡せる位置（この場合、洗面所３０ｂ等の位置）まで入り込む必要がなくなる。
すなわち、従来では、混雑時には、女子トイレ３０Ｆの内部に入り込んで利用状況を確認しようとする利用者と、和式トイレＢ１〜洋式トイレＢ１５の実際の利用者とが、女子トイレ３０Ｆの内部に集中して歩行移動の妨げとなり、和式トイレＢ１〜洋式トイレＢ１５の利用効率の低下、利用者の移動時間を含めた単位個室当たりの所要時間の増大の一因となっていた。
【００６０】
これに対して、本実施の形態の場合には、混雑時（すなわち、使用率Ｒが相対的に大きい場合）には、利用者は、トイレ施設入口３０ａに設置された表示装置２０に表示されるトイレ施設画像１００（図７）を確認することができるので、女子トイレ３０Ｆの内部に入り込む必要がなく、トイレ施設入口３０ａの外側に整列して待ち、トイレ施設画像１００のトイレアイコン１０３の表示状態等に基づいて、先頭から順に空いた和式トイレＢ１〜洋式トイレＢ１５の何れかに整然と移動することが可能になり、女子トイレ３０Ｆの和式トイレＢ１〜洋式トイレＢ１５を効率よく利用できる。
【００６１】
この結果、繁忙期における女子トイレ３０Ｆの混雑を緩和して和式トイレＢ１〜洋式トイレＢ１５の可用性や利便性を大幅に向上させることができる。
さらに、女子トイレ３０Ｆの利用者の少ない閑散期（すなわち、使用率Ｒが相対的に小さい場合）には、トイレ施設画像１００（図７）の代わりに、広告映像２００（図８）等の多様な情報を表示装置２０に表示することで、表示装置２０を一般の情報の表示に有効に活用でき、表示装置２０の可用性の向上、さらには、利用者の利便性の向上を実現できる。
【００６２】
また、本実施の形態の個室使用状況表示システムＫでは、個々のトイレ個室３１（和式トイレＢ１〜洋式トイレＢ１５）のトイレドア３２に貼り付け等で簡便に設置されるドア開閉センサユニット４０から無線でデータを収集するとともに、個々のドア開閉センサユニット４０は、環境における照明光等の自然エネルギーを電力に換えて自律的に動作する。
【００６３】
また、ドア開閉センサユニット４０の設置のために女子トイレ３０Ｆ内における通信配線や電力配線の引き回しは全く不要である。
このため、トイレ施設３０の新設／既設に関係なく、個室使用状況表示システムＫのドア開閉センサユニット４０の設置および運用コストを大幅に削減できるとともに、トイレ施設３０の美観が向上する、という利点もある。
【００６４】
このように、本実施の形態の個室使用状況表示システムＫによれば、美観を損なうことなく低コストで設置でき、表示装置の可用性や利便性の高い個室使用状況表示技術を提供することができる。
【００６５】
図１０は、本発明の一実施の形態である個室使用状況表示システムの作用の変形例を示すフローチャートである。
次に、図１０のフローチャートを参照して、本実施の形態の個室使用状況表示システムＫの作用の変形例を説明する。
【００６６】
例えば、トイレ個室３１等の管理では、利用者の使用中における発病や不審者の潜伏等に起因して、特定のトイレ個室３１が長時間に亙って使用中になる異常事態が発生する場合がある。
【００６７】
そして、トイレ施設３０の管理者は、このような異常状態を早期かつ的確に察知して救助その他の適切な対策を実施する必要がある。
そこで、本変形例では、上述の図９のフローチャートにおいて、トイレ個室３１が「使用中」と判定された場合の処理（ステップ３１１）において、当該トイレ個室３１の履歴から連続使用時間Ｔを算出し、所定の第２閾値Ｖｔ（例えば、３０分〜６０分）と比較することによって、上述のような異常事態の有無を判別する例を示す。
【００６８】
すなわち、図１０のフローチャートのステップ４０１〜４０４は、上述のステップ３１１の処理の変形例の詳細を例示している。
特定のトイレ個室３１の「使用中」が検出されると、上述のステップ３１１と同様に使用中トイレアイコン１０３ａへの変更または維持を行うとともに（ステップ４０１）、情報処理装置１０は、稼働ログデータ９２から当該トイレ個室３１の連続使用時間Ｔを算出する（ステップ４０２）。
【００６９】
そして、情報処理装置１０は、連続使用時間Ｔ＞第２閾値Ｖｔか否かを判別し（ステップ４０３）、Ｔ＞Ｖｔの場合には、当該トイレ個室３１において異常に使用時間が長く、なんらかの異常事態の懸念がある旨をシステム管理者に警告する。具体的には、ユーザインタフェース１４に警告の映像や音声を出力したり、ＬＡＮ等の情報ネットワーク１５ａを介して、外部の管理センタに通知する等の動作を行う（ステップ４０４）。
【００７０】
もちろん、表示装置２０に出力される上述の図７のトイレ施設画像１００の該当するトイレ個室３１のトイレアイコン１０３を、所望の異常事態を示す表示態様（例えば点滅等）に変更して警告してもよい。なお、この場合には、ステップ３０７では、先行するステップ３１１（ステップ４０１〜４０４）の連続使用時間Ｔの判定結果に基づいて、使用率Ｒの大小に関係なく、トイレ施設画像１００を表示装置２０に強制的に表示出力させる。
【００７１】
このように、本変形例では、トイレ施設３０における特定のトイレ個室３１において使用中の継続時間が異常に長い異常事態が発生したことを、システム管理者や施設管理者あるいは利用者等が早期に察知して、救助や防犯等の適切な対応を実施できる利点がある。
【００７２】
なお、本発明は、上述の実施の形態に例示した構成に限らず、その趣旨を逸脱しない範囲で種々変更可能であることは言うまでもない。
例えば、管理対象の個室としては、上述の実施の形態で例示したトイレ等に限らず、一般の個室の使用状況の管理に広く適用することができる。
【符号の説明】
【００７３】
Ｋ  個室使用状況表示システム
１０  情報処理装置
１１  ＣＰＵ
１２  主記憶
１３  外部記憶装置
１４  ユーザインタフェース
１５  ＬＡＮインターフェイス
１５ａ  情報ネットワーク
１６  無線受信機
１６ａ  アンテナ
１７  表示装置インターフェイス
１８  情報伝送路
２０  表示装置
３０  トイレ施設
３０Ｆ  女子トイレ
３０Ｍ  男子トイレ
３０ａ  トイレ施設入口
３０ｂ  洗面所
３０ｃ  パウダーコーナ
３０ｄ  子供コーナ
３０ｅ  倉庫
３１  トイレ個室
３２  トイレドア
３２ａ  ドアノブ
３２ｂ  ドア錠
３２ｃ  ドアヒンジ
３３  便器
４０  ドア開閉センサユニット
４１  センサ本体
４１ａ  太陽電池
４２  ドア変位検知磁石片
９１  個室管理プログラム
９２  稼働ログデータ
９３  エラーログファイル
９４  一般情報ファイル
９５  個室レイアウト画像ファイル
１００  トイレ施設画像
１０１  レイアウト領域
１０２  案内図領域
１０３  トイレアイコン
１０３ａ  使用中トイレアイコン
２００  広告映像
Ｂ１，Ｂ４，Ｂ８  和式トイレ
Ｂ２，Ｂ７，Ｂ１１，Ｂ１３  ベビーチェア付属・洋式トイレ
Ｂ３，Ｂ１４  身障者用トイレ
Ｂ５，Ｂ６，Ｂ９，Ｂ１０，Ｂ１２，Ｂ１５  洋式トイレ
Ｓ１〜Ｓ１５  ドア開閉センサ
ｎ  使用中個室数
Ｎｔ  全トイレ個室数
Ｒ  使用率
Ｖｒ  第１閾値
Ｔ  連続使用時間
Ｖｔ  第２閾値
【図１】
2014044474.tif 000003
【図２】
2014044474.tif 000004
【図８】
2014044474.tif 000005
【図９】
2014044474.tif 000006
【図１０】
2014044474.tif 000007
【図３】
2014044474.tif 000008
【図４】
2014044474.tif 000009
【図５】
2014044474.tif 000010
【図６】
2014044474.tif 000011
【図７】
2014044474.tif 000012